(57)【特許請求の範囲】
【請求項１】
ガスバーナによる加熱の開始および停止を指令する点消火指令部からの加熱開始指令によって制御部が前記ガスバーナによる加熱を開始し、前記点消火指令部からの加熱停止指令によって前記制御部が前記ガスバーナによる加熱を停止するガス調理器であって、
前記ガスバーナで発生する燃焼ガスを外部に排出する換気装置において換気が行われているときに前記換気装置が備える換気状態送信部から電波によって送信され、前記換気状態送信部に設定された換気状態送信部用ＩＤコードを含む換気実行情報、または、前記換気装置において換気が行われていないときに前記換気状態送信部から電波によって送信され、前記換気状態送信部用ＩＤコードを含む換気停止情報を受信する換気状態受信部を備え、
特定の前記換気状態送信部に対して、前記換気状態送信部用ＩＤコードとして、特定ＩＤコードが設定され、
（ａ）前記加熱開始指令が指令されてから所定経過時間経過した時点で前記換気状態受信部が前記特定ＩＤコードを含む前記換気実行情報を受信しないとき、
（ｂ）前記ガスバーナによる加熱の開始後に前記換気状態受信部が前記特定ＩＤコードを含む前記換気停止情報を所定時間連続して受信したとき、および、
（ｃ）前記換気状態受信部が前記特定ＩＤコードを含む前記換気実行情報を受信しない期間が所定時間継続したときに、
前記制御部が、前記ガスバーナによる加熱を停止するように構成され、
有線通信によって、前記換気状態送信部から前記換気状態送信部用ＩＤコードを受信し、
前記有線通信により受信した前記換気状態送信部用ＩＤコードが、前記特定ＩＤコードとして設定されるように構成されていること
を特徴とするガス調理器。
【発明の詳細な説明】
【技術分野】
【０００１】
本発明は、種々の調理に広く用いられているガスコンロやガスグリルなどのガス調理器に関する。
【背景技術】
【０００２】
煮物や揚げ物などの調理や、肉や魚などの被調理物を焼いたりする料理などに用いられるガスコンロや、ガスグリルなどのガス調理器は、従来より広く用いられている。
【０００３】
そのようなガス調理器として、特許文献１には、調理容器がグリル庫の内部に収納された状態において、調理容器の存否を検出する容器存否検出センサが、調理容器の後端部に接当する形態で設けられ、容器存否検出センサの検出情報に基づいて、加熱調理用のグリルバーナの燃焼を制御する運転制御手段を備えたガス調理器（グリル）が提案されている。
【０００４】
また近年、使用する際に、ガス調理器が使用される部屋（一般的には台所）に設けられたレンジフードを作動させる、すなわち、ガス調理器を使用する際に、レンジフードを連動させるようにしたガス調理器が提案されている（例えば特許文献２参照）。
【先行技術文献】
【特許文献】
【０００５】
【特許文献１】特開２０１６−０１６３００号公報
【特許文献２】特開２０１３−０４４５０９号公報
【発明の概要】
【発明が解決しようとする課題】
【０００６】
ところで、特許文献１の段落００９９には、調理容器として、蓋部を備えた炊飯用の容器を適用することができる旨の記載がある。
【０００７】
特許文献１のガス調理器（ガスグリル）を用いて炊飯などの調理を行う場合に、ガス調理器がタイマ予約調理機能を備えるようにして、タイマにて設定した時刻になると自動的に調理を開始するようにすると便利である。しかし、タイマにて設定された時刻にガス調理器が調理を開始する際、ガスの燃焼によって加熱を行うことによって、その燃焼ガスが、ガス調理器が使用される部屋（一般的には台所）に排出されることになり、燃焼ガスが充満するという不都合が生じることになる。
【０００８】
これに対し、上述の特許文献２のガス調理器の場合、使用の際に、ガス調理器が設置された部屋（一般的には台所）が備えるレンジフードを作動させることができるように構成されているため、例えば、タイマにて設定された時刻にガス調理器が調理を開始する際に、レンジフードを連動させるように構成すれば、ガス調理器からの燃焼ガスを、ガス調理器が設置された部屋から外に排出して、燃焼ガスがガス調理器が設置された部屋（一般的には台所）に充満することが防止することができる。
【０００９】
しかし、その場合も、タイマにて設定された、ガス調理器が調理を開始する時刻に停電が発生したり、ガス調理器が稼働してもレンジフードが適正に連動しなかったりした場合には、燃焼ガスが、ガス調理器が設置された部屋に充満するという不都合が生じることになる。
【００１０】
本発明は、上記の課題を解決するものであり、ガス調理器が燃焼を開始する際に、換気装置が換気（排気）運転を開始しない場合には、ガス調理器からの燃焼ガスの排出が継続して行われることがなく、ガス調理器が設置された部屋に燃焼ガスが充満することを防止することが可能なガス調理器を提供することを目的とする。
【課題を解決するための手段】
【００１１】
上記の目的を達成するために、本発明のガス調理器は、
ガスバーナによる加熱の開始および停止を指令する点消火指令部からの加熱開始指令によって制御部が前記ガスバーナによる加熱を開始し、前記点消火指令部からの加熱停止指令によって前記制御部が前記ガスバーナによる加熱を停止するガス調理器であって、
前記ガスバーナで発生する燃焼ガスを外部に排出する換気装置において換気が行われているときに前記換気装置が備える換気状態送信部から電波によって送信され、前記換気状態送信部に設定された換気状態送信部用ＩＤコードを含む換気実行情報、または、前記換気装置において換気が行われていないときに前記換気状態送信部から電波によって送信され、前記換気状態送信部用ＩＤコードを含む換気停止情報を受信する換気状態受信部を備え、
特定の前記換気状態送信部に対して、前記換気状態送信部用ＩＤコードとして、特定ＩＤコードが設定され、
（ａ）前記加熱開始指令が指令されてから所定経過時間経過した時点で前記換気状態受信部が前記特定ＩＤコードを含む前記換気実行情報を受信しないとき、
（ｂ）前記ガスバーナによる加熱の開始後に前記換気状態受信部が前記特定ＩＤコードを含む前記換気停止情報を所定時間連続して受信したとき、および、
（ｃ）前記換気状態受信部が前記特定ＩＤコードを含む前記換気実行情報を受信しない期間が所定時間継続したときに、
前記制御部が、前記ガスバーナによる加熱を停止するように構成され、
有線通信によって、前記換気状態送信部から前記換気状態送信部用ＩＤコードを受信し、
前記有線通信により受信した前記換気状態送信部用ＩＤコードが、前記特定ＩＤコードとして設定されるように構成されていること
を特徴としている。
【発明の効果】
【００１２】
本発明のガス調理器は、上述のように構成されており、（ａ）加熱開始指令が指令されてから所定経過時間経過した時点で換気状態受信部が特定ＩＤコードを含む換気実行情報を受信しないとき、（ｂ）ガスバーナによる加熱の開始後に換気状態受信部が特定ＩＤコードを含む換気停止情報を所定時間連続して受信したとき、および、（ｃ）換気状態受信部が特定ＩＤコードを含む換気実行情報を受信しない期間が所定時間継続したときに、制御部が、ガスバーナによる加熱を停止するように構成されているので、ガス調理器が燃焼を開始する際に、レンジフードなどの換気装置が排気運転を開始しない場合やレンジフードなどの換気装置が排気運転を所定時間継続して停止した場合などにおいて、ガス調理器からの燃焼ガスの排出が継続することがなく、燃焼ガスが、ガス調理器が設置された部屋（一般的には台所）に充満してしまうことを防止することができる。
【００１３】
また、有線通信により受信した換気状態送信部用ＩＤコードが、特定ＩＤコードとして設定されるように構成されているので、ガス調理器とペアリングされた特定の換気装置以外の換気装置（詳しくは、換気状態送信部）から電波によって送信される換気実行情報や換気停止情報に基づいて誤って加熱を停止する誤動作を適確に防止することが可能で、高い信頼性を実現することができる。
【図面の簡単な説明】
【００１４】
【図１】本発明の実施形態にかかるガス調理器（グリルが組み込まれたガスコンロ）の斜視図である。
【図２】本発明の実施形態にかかるガス調理器の制御構成を示すブロック図である。
【図３】本発明の実施形態にかかるガス調理器とともに用いられるレンジフードの切欠き正面図である。
【図４】本発明の実施形態にかかるガス調理器とともに用いられるレンジフードの排気ダクトに換気状態送信ユニットを接続する途中状態を示す図である。
【図５】本発明の実施形態にかかるガス調理器とともに用いられるレンジフードの排気ダクトに接続された換気状態送信ユニットを示す図である。
【図６】本発明の実施形態にかかるガス調理器とともに用いられる換気状態送信ユニットを示す図であって、（ａ）は上部継手と下部継手を省略した要部平断面図、（ｂ）はその側面図である。
【発明を実施するための形態】
【００１５】
以下、本発明の実施形態を示して、その特徴とするところをさらに詳しく説明する。
【００１６】
［実施形態］
この実施形態では、本発明の実施形態にかかるグリルが組み込まれたガス調理器（ガスコンロ）を例にとって説明する。
【００１７】
（ガス調理器の全体構成）
この実施形態では、まず、ガス調理器（ガスコンロ）の全体的な構成について説明した後、本発明の特徴的な構成について説明する。
この実施形態にかかるガス調理器は、図１に示すように、コンロ本体Ｈの上面部に、左右一対のコンロバーナ１を備え、コンロ本体Ｈの内部にグリルＧを備えている。
【００１８】
そして、このガス調理器は、キッチンカウンタに形成したコンロ装着口に上方から挿入して組付ける、いわゆるビルトインタイプとして構成されており、コンロ本体Ｈの上部の周縁部には、キッチンカウンタに載置する鍔部が形成されている。
【００１９】
コンロ本体Ｈの上部には、ガラス製の天板２が装備され、そして、天板２の後部側箇所には、グリルＧの調理排気を排出するためのグリル排気口３が形成されている。
また、天板２の上部には、コンロバーナ１にて加熱される鍋などの被加熱物を載置するための五徳４が、左右のコンロバーナ１のそれぞれに対応して設けられている。
【００２０】
なお、コンロバーナ１の中央部には、図１に示すように、鍋などの被加熱物の存在および被加熱物の底壁温度を検出するコンロバーナセンサ１Ａが設けられている。
【００２１】
コンロ本体Ｈの上部に装備した天板２の手前側箇所には、左右のコンロバーナ１のそれぞれに対する左右一対のコンロ用操作具５が、上方に離脱させることができるように設けられており、コンロ本体Ｈの前面部の右側箇所には、グリルＧに対するグリル用設定操作部６が、下方側を支点にした前後揺動により開閉することができるように設けられている。なお、図１は、グリル用設定操作部６が開いた状態を示している。
【００２２】
ちなみに、一対のコンロ用操作具５のそれぞれは、前後や左右のスライド操作および左右の回転操作により、点火および消火の指令、目標火力の指令、目標温度に維持する自動温度調理の指令など、各種の指令情報を指令するように構成されている。
【００２３】
グリル用設定操作部６は、複数の指令スイッチを備えて、それらの複数の指令スイッチの操作により、後述する加熱調理用のグリル加熱手段としてのグリルバーナＡに対する点火および消火の指令、目標火力の指令、調理モードの指令など、各種の指令情報を指令するように構成されており、その詳細は後述する。
【００２４】
（特徴的構成）
次に、この実施形態にかかるガス調理器の特徴的な構成について説明する。
【００２５】
このガス調理器が設置されている部屋（台所）には、換気装置として、図３に示すレンジフード１１０が設置されている。このレンジフード１１０は、吸い込み部を有する排気用ファン１０１と、排気用ファンを駆動するモータ１０７と、排気用ファン１０１を収容するケーシング１０２とフード部１０３とを備えている。
【００２６】
ケーシング１０２の下面側には、下方に開口した排気用吸い込み口１０２ａが形成されており、排気用ファン１０１の吸い込み部１０１ａが排気用吸い込み口２ａと連通している。
【００２７】
そして、図４、図５に示すように、レンジフード（換気装置）１１０の排気ダクト１０６には、延長用排気筒１１６などが接続され、レンジフード１１０の排気用吸い込み口１０２ａから吸引された台所内の空気は、排気ダクト１０６から、上記延長用排気筒１１６を経て、外部に排気されるように構成されている。
【００２８】
また、この実施形態では、上記のレンジフード１１０の排気ダクト１０６と、延長用排気筒１１６との間には、換気状態送信ユニット１５０が介装されている。
さらに具体的に説明すると、換気状態送信ユニット１５０の下側には下部継手１５１が設けられ、換気状態送信ユニット１５０の上側には上部継手１５１が設けられている。
【００２９】
そして、上述の下側継手１５１がレンジフード１１０の排気ダクト１０６に接続され、かつ、換気状態送信ユニット１５０の上部継手１５２に延長用排気筒１１６が接続されている（図４、図５参照）。
【００３０】
また、換気状態送信ユニット１５０は、図６（ａ）、（ｂ）に示すように、円環状の外枠１６１と、外枠１６１により囲繞される空間に、周方向に９０度おきに放射状に配置された４本の棒状部材１６２と、４本の棒状部材１６２の交点に配設され中心軸１７０を備えている。なお、中心軸１７０は後述する６枚のブレード１６５を有するタービン１６６の回転の中心となる軸であり、下部継手１５１から上部継手１５２に向かう方向に沿って形成されている。
なお、図６（ａ）では上部継手、下部継手の記載が省略されている。
【００３１】
そして、円環状の外枠１６１で囲繞される空間には、上記中心軸１７０を中心として回転自在に６枚のブレード１６５を有するタービン１６６が配置されている。
【００３２】
さらに、タービン１６６を構成する各ブレード１６５の先端にはそれぞれ磁石１６７が配設されている。
【００３３】
そして、レンジフード１１０が換気運転を開始すると、レンジフード１１０の排気ダクト１０６から排出される排気が、下部継手１５１側から流れ込み、円環状の外枠１６１で囲繞される空間を経由して上部継手１５２から延長用排気筒１１６を経由して屋外に排出されるように構成されている。
【００３４】
また、円環状の外枠１６１には周方向の一定の間隔をおいて１２個のコイル１６３が配置されており、これら１２個のコイル１６３は、電気的に接続され、その出力が円環状の外枠１６１内に備える換気状態送信部１６４に入力されるように構成されている。
【００３５】
そして、レンジフード１１０の排気ダクト１０６から排出される排気が、円環状の外枠１６１で囲繞される空間を、下部継手１５１から上部継手１５２に向かう方向に沿って流動すると、６枚のブレード１６５を有するタービン１６６が中心軸１７０を中心として回転する。
【００３６】
そして、タービン１６６が回転すると、各ブレード１６５の先端に備える磁石１６７が６枚のブレード１６５を有するタービン１６６とともに回転する。
各ブレード１６５の先端に配設された磁石１６７が回転すると、上述の１２個のコイル１６３に電圧が誘起され、この誘起された電圧が換気状態送信部１６４に入力される。
【００３７】
すなわち、この実施形態では、６枚のブレード１６５を有するタービン１６６が毎秒１回転の速度で回転したとき、１２Ｈｚ（ヘルツ）の交流電圧が換気状態送信部１６４に入力されるように構成されている。
【００３８】
換気状態送信部１６４に入力された交流電圧は、換気状態送信部１６４の電源となる。また、換気状態送信部１６４は、１２個のコイル１６３から入力される交流電圧の周波数に応じて、ガス調理器が備えている換気状態受信部Ｚ（図２）に対して、レンジフード１１０からの排気が通流する換気状態であるか否かの換気状態を電波によって送信する。
【００３９】
因みに、この実施形態では、レンジフード１１０が毎時１００立方メートルで排気するとき、１２０Ｈｚ（ヘルツ）の交流電圧が換気状態送信部１６４に入力されるように構成されている。
【００４０】
つまり、換気状態送信ユニット１５０は、レンジフード（換気装置）１１０からの排気の通流によって換気状態送信部１６４に電源を供給する同期発電機を備え、換気状態送信部１６４は、この同期発電機から電源が供給されるとともに、この同期発電機から供給される交流電圧の周波数によって、レンジフード１１０からの排気の通流量に関する情報を、電波によってガス調理器に送信することができるように構成されている。
【００４１】
例えば、レンジフード１１０が、毎時１００立方メートルで排気している場合、換気状態送信部１６４には、上記同期発電機から１２０Ｈｚの交流電圧が供給される。
そして、換気状態送信部１６４は、この１２０Ｈｚの交流電圧を電源として以下のように、ガス調理器が備えている換気状態受信部Ｚに換気装置の換気状態情報を電波によって送信する。
【００４２】
印加されている電源の周波数ｆ＝１２０Ｈｚを、レンジフード１１０における換気の排気量Ｑ＝毎時１００立方メートルに変換する。
換気状態送信部１６４は、ガス調理器に備える換気状態受信部Ｚと通信を行い、レンジフード１１０における換気の排気量Ｑ＝毎時１００立方メートルであること（換気実行情報）を電波によって送信する。
【００４３】
なお、電波による通信の方法としては、この実施形態では、換気状態送信部１６４から３ｍの距離における電界強度が概ね５００μＶ／ｍとなる、微弱電波による通信方法が用いられている。上述のような微弱電波による通信方法であっても、換気状態送信部１６４とガス調理器の距離は一般的に３ｍ以内であるので、問題は生じない。
【００４４】
この実施形態のガス調理器において、換気状態受信部Ｚ（図２）は、レンジフード１１０における換気の排気量Ｑ＝毎時１００立方メートルであること（換気実行情報）を受信する。
【００４５】
この実施形態にかかるガス調理器においては、コンロバーナ１や、グリルＧが備えるグリルバーナ（図示せず）に対して加熱開始指令が指令されてから所定経過時間（例えば３０秒）が経過した時点で、換気状態受信部Ｚが換気実行情報（例えば、排気量Ｑ＝毎時１００立方メートルであるという情報）を受信したときには、コンロバーナ１やグリルバーナの加熱を継続するが、コンロバーナ１やグリルバーナに対して加熱開始指令が指令されてから所定経過時間（例えば３０秒）が経過した時点で、換気状態受信部Ｚが換気実行情報を受信しないとき、コンロバーナ１やグリルバーナによる加熱を停止する。
【００４６】
なお、換気状態送信部１６４は、バッテリー（図示せず）を備えており、一旦電源が印加されるとバッテリーの充電が行われる。そして、仮に、レンジフード１１０が停止して、レンジフード１１０における換気の排気量Ｑが毎時０立方メートルに変化したときには、レンジフード１１０における換気の排気量Ｑが毎時０立方メートルであること（換気停止情報）を送信するように構成されている。
【００４７】
そして、コンロバーナ１やグリルバーナによる加熱を開始した後、継続して加熱が行われている場合に、換気状態受信部Ｚが上記換気停止情報を所定時間（例えば３０秒）連続して受信したときには、コンロバーナ１やグリルバーナによる加熱が停止される。
【００４８】
なお、換気状態送信部１６４がバッテリーを備えるようにしているのは、レンジフード（換気装置）１１０による排気の通流がなく、電源が得られない場合において、換気状態送信部１６４がバッテリーを備えていない場合、換気状態送信部１６４から換気状態受信部Ｚに情報（換気停止情報）を送信することができなくなることによる。
【００４９】
本発明のガス調理器は、ガス調理器のコンロバーナ１やグリルバーナが燃焼を開始する際に、レンジフード１１０が排気運転を開始しない場合や、レンジフード１１０が排気運転を所定時間継続して停止した場合に、ガス調理器からの燃焼ガスの排出が継続することがないように構成されているので、燃焼ガスが、ガス調理器が設置された部屋（一般的には台所）に充満するようなことを確実に防止することができる。
【００５０】
しかも、上述の換気状態送信ユニット１５０を、レンジフード（換気装置）１１０が備えている排気ダクト１０６に取り付けるだけで、レンジフード（換気装置）１１０による排気の通流によって電源が得られるとともに、ガス調理器に換気情報が送信されるので、外部からの電源の供給や、レンジフード１１０が備える制御回路との接続や通信が不要で、特に有意義である。
【００５１】
なお、上記実施形態では、換気状態受信部が換気実行情報を受信しない期間が所定時間継続したときなどの所定の状況下でバーナの加熱を停止するように構成しているが、なんらかの理由により、まだバーナの加熱が開始されていない場合においては、加熱を開始しないように構成することも可能である。
【００５２】
また、この実施形態では、コンロバーナ１やグリルバーナで発生する燃焼ガスを外部に排出する上述のレンジフード１１０において換気が行われているときに、レンジフード１１０が備える換気状態送信部、具体的には、レンジフード１１０に接続された換気状態送信ユニット１５０から電波によって送信される換気実行情報には、換気状態送信部（レンジフード１１０に接続された換気状態送信ユニット１５０）に設定された換気状態送信部用ＩＤコードが含まれるように構成されている。
【００５３】
また、レンジフード１１０において換気が行われていないときに換気状態送信部（レンジフード１１０に接続された換気状態送信ユニット１５０）から電波によって送信される換気停止情報にも、換気状態送信部（レンジフード１１０に接続された換気状態送信ユニット１５０）に設定された換気状態送信部用ＩＤコードが含まれるように構成されている。
【００５４】
したがって、この実施形態のガス調理器（ガスコンロ）が備える換気状態受信部Ｚ（図２参照）は、換気状態送信部用ＩＤコードを含む換気実行情報、あるいは、換気状態送信部用ＩＤコードを含む換気停止情報を受信することになる。
【００５５】
また、特定の換気状態送信部（当該ガスコンロが設置された部屋（台所）に設置されたレンジフード１１０に接続された換気状態送信ユニット１５０）が電波によって送信する換気実行情報および換気停止情報に含まれる換気状態送信部用ＩＤコードが、後述するように、特定ＩＤコードとして設定されるように構成されている。
【００５６】
そして、ガス調理器（ガスコンロ）において加熱開始指令が指令されてから所定経過時間経過した時点でガス調理器（ガスコンロ）が備える換気状態受信部Ｚが特定ＩＤコードを含む換気実行情報を受信しないとき、コンロバーナ１やグリルバーナによる加熱を停止するように構成されている。
【００５７】
また、コンロバーナ１やグリルバーナによる加熱の開始後にガス調理器（ガスコンロ）が備える換気状態受信部Ｚが特定ＩＤコードを含む換気停止情報を所定時間（例えば３０秒）連続して受信したとき、および、ガス調理器（ガスコンロ）が備える換気状態受信部Ｚが特定ＩＤコードを含む換気実行情報を受信しない期間が所定時間（例えば３０秒）継続したときにコンロバーナ１やグリルバーナによる加熱を停止するように構成されている。
【００５８】
次に、換気状態送信部用ＩＤコードが、特定ＩＤコードとして設定されるようにした構成について説明を行う。
この実施形態のガス調理器（ガスコンロ）は、図１に示すように、コンロ側−有線通信接続部１５を備えている。
また、換気状態送信部（レンジフード１１０に接続された換気状態送信ユニット１５０）は、アタッチメント側−有線通信接続部１１５を備えている（図４、図５、図６参照）。
【００５９】
そして、コンロ側−有線通信接続部１５とアタッチメント側−有線通信接続部１１５とを有線通信用通信線（図示せず）によって接続し、ガスコンロのグリル用設定操作部６を用いて有線通信開始用の操作を行うことによって、換気状態送信部（レンジフード１１０に接続された換気状態送信ユニット１５０）が、ガスコンロとの有線通信を開始し、ガスコンロに備える運転制御部Ｗ（図２）が、換気状態送信部（レンジフード１１０に接続された換気状態送信ユニット１５０）から換気状態送信部用ＩＤコードを取得し、この換気状態送信部用ＩＤコードが特定ＩＤコードとして設定される。
【００６０】
なお上述の有線通信は、ガスコンロの設置時、あるいはレンジフード１１０の設置時において、設置業者、または使用者によって行われるものであり、ガスコンロに備える運転制御部Ｗが、換気状態送信部（レンジフード１１０に接続された換気状態送信ユニット１５０）から換気状態送信部用ＩＤコードを取得し、この換気状態送信部用ＩＤコードが特定ＩＤコードとして設定された後に、ガスコンロに備えるコンロ側−有線通信接続部１５（図１）と、換気状態送信部（レンジフード１１０に接続された換気状態送信ユニット１５０）に備えるアタッチメント側−有線通信接続部１１５（図４、図５、図６）とを接続する有線通信用通信線（図示せず）は、取り除かれるため、ガスコンロおよびレンジフード１１０の使用時において、有線通信用通信線が邪魔になることはない。
【００６１】
なお、ガスコンロ１００側で行われる有線通信開始用の操作の態様としては、例えば、グリル用設定操作部６に設けた専用の通信開始用スイッチ（図示せず）の操作、グリル用設定操作部６に設けられたグリル用の複数の設定スイッチ（図示せず）の同時押しなど、種々の形態を採用することが可能であり、その形態に特に制約はない。
【００６２】
また、上述のような有線通信の方式としては、周知の種々の通信方式が採用可能であり、これ以上の詳細な説明は省略する。
【００６３】
この実施形態の場合、上述のように、レンジフード１１０に接続された換気状態送信ユニット（換気状態送信部）１５０が、ガスコンロとの有線通信を開始し、ガスコンロに備える運転制御部Ｗが、レンジフード１１０に接続された換気状態送信ユニット１５０から換気状態送信部用ＩＤコードを取得し、この換気状態送信部用ＩＤコードが特定ＩＤコードとして設定されるように構成されているので、ガスコンロ１００とペアリングされた特定の換気状態送信部（例えば、ガスコンロと同室に設置されたレンジフード１１０に接続された換気状態送信ユニット１５０）以外の換気状態送信部から電波によって送信される換気実行情報や換気停止情報に基づいて誤動作することを確実に防止することができる。
【００６４】
［別実施形態］
上記実施形態では、タイマで予約して調理を行う構成、具体的には、タイマで予約してグリル内で炊飯を行う構成を備えていないガス調理器を例にとって説明したが、本発明は、例えば、タイマで予約してグリル内で炊飯を行う機能、すなわち、タイマ予約炊飯機能を備えたガス調理器にも適用することが可能である。
【００６５】
また、上記実施形態では、ガス調理器がグリルを備えたガスコンロである場合について説明したが、ガスコンロがグリルを備えず、コンロバーナのみを備えるように構成することも可能である。
【００６６】
また、本発明のガス調理器は、グリル専用機にも適用することが可能である。
【００６７】
さらに、上記実施形態では、換気状態送信部１６４が、バッテリーを備えるようにした場合を例にとって説明したが、バッテリーを備える構成は任意の構成であり、換気状態送信部がバッテリーを備えていない構成とすることも可能である。
【００６８】
また、本発明のガス調理器は、コンロバーナ１やグリルバーナによる加熱を開始した後、コンロバーナ１やグリルバーナによる加熱を行っているときに、換気状態受信部Ｚが、レンジフード（換気装置）における換気の排気量Ｑ＝毎時１００立方メートルであること（換気実行情報）を受信しない期間が所定時間（例えば３０秒）継続したとき、コンロバーナ１やグリルバーナによる加熱を停止するように構成してもよい。
【００６９】
本発明は、さらにその他の点においても上記実施形態に限定されるものではなく、本発明の範囲内において種々の変形を加えることが可能である。
【符号の説明】
【００７０】
１          左右一対のコンロバーナ
１Ａ        コンロバーナセンサ
２          天板
３          グリル排気口
４          五徳
５          一対のコンロ用操作具
６          グリル用設定操作部
８          グリル扉
１５        コンロ側−有線通信接続部
１０１      排気用ファン
１０１ａ    排気用ファンの吸い込み部
１０２      ケーシング
１０２ａ    レンジフードの排気用吸い込み口
１０３      フード部
１０６      排気ダクト
１０７      モータ
１１０      レンジフード
１１５      アタッチメント側−有線通信接続部
１１６      延長用排気筒
１５０      換気状態送信ユニット
１５１      下部継手
１５２      上部継手
１６１      円環状の外枠
１６２      棒状部材
１６３      コイル
１６４      換気状態送信部
１６５      ブレード
１６６      タービン
１６７      磁石
１７０      中心軸
Ｇ          グリル
Ｈ          コンロ本体
Ｗ          制御部（運転制御部）
Ｚ          換気状態受信部
【図１】
0006663797.tif 000002
【図２】
0006663797.tif 000003
【図３】
0006663797.tif 000004
【図４】
0006663797.tif 000005
【図５】
0006663797.tif 000006
【図６】
0006663797.tif 000007